(57)【要約】【課題】より効率的に揚力を発生することができるコアンダ効果を利用した飛翔体を提供すること。【解決手段】本発明による飛翔体１は、コアンダ効果を利用した飛翔体１であって、翼２の外縁２Ｅに外縁２Ｅの下面２ｂ側から上面２ａ側に指向する空気流を吹き付ける吹き付け手段４を備えることを特徴とする。【選択図】図１
2010120420.tif 000002
【特許請求の範囲】
【請求項１】
コアンダ効果を利用した飛翔体であって、翼の外縁に前記外縁の下面側から上面側に指向する空気流を吹き付ける吹き付け手段を備えることを特徴とする飛翔体。
【発明の詳細な説明】
【技術分野】
【０００１】
本発明は、山岳遭難救助、海難救助、被災者救助、貨物運搬に適用されて好適な飛翔体に関する。
【背景技術】
【０００２】
従来から、ベルヌーイの定理を応用した通常のジェット式やプロペラ式の飛行機、ヘリコプターや飛行船とは異なり、コアンダ効果を利用した飛翔体が開発され、一部の国においては実用化がなされている。
【０００３】
このような飛翔体においては、揚力を発生するための翼の下方に、従来の飛行機やヘリコプター、飛行船に比して大きな荷室を配置することが可能となり、貨物の運搬効率を高くすることができる。特にヘリコプターにおいてはロータの下方には大きな荷室を配置することができないため、飛翔体はヘリコプターに対してより高い運搬効率を有する。
【０００４】
特には海難において被災者を救助するようなケースにおいて、ヘリコプターであれば下方に大きな風を発生させ渦を発生させてしまって、足場が不安定な岩場等においてはホバリングすることが困難となるような場合においても、荷室の姿勢を安定させることが可能となり、被災者救助をより安定的に行うことができる。また、飛行船に対しても全体としての大きさを小さくできると言うメリットもある。
【０００５】
このようなコアンダ効果を利用した飛翔体としては例えば特許文献１に記載されているようなものがある。
【特許文献１】特開２００５−３４３３１０号公報
【発明の開示】
【発明が解決しようとする課題】
【０００６】
ところが、このようなコアンダ効果を利用した飛翔体においては、翼の外縁すなわち、空気流が翼に沿って流れる最も下流側の位置において、翼の上面と下面との境界が形成されており、揚力を発生させる空気流が外縁で翼から円滑に剥離できずに、下面側に回り込む翼端渦又は随伴渦が発生する。
【０００７】
通常のベルヌーイの定理を利用する航空機の主翼の後端においても、このような翼端渦又は随伴渦は発生するが、航空機においては主翼の下面における圧力は上面における圧力よりも大きいため、翼端渦を航空機の左右方向に垂直な断面から観察すると、下面から上面に回り込み、これに伴い発生するコアンダ効果による発生力は、上下方向の下方から上方に向かう上昇方向の力となるので問題とならない。
【０００８】
ところが、コアンダ効果により発生する揚力を利用する飛翔体においては、図６に示すような、翼端渦ＥＲを翼の外縁５２Ｅに垂直な断面から観察すると、翼５２の上面５２ａから下面５２ｂに回り込むこととなるので、これに伴い発生するコアンダ効果による発生力は、上下方向の上方から下方に向かう下降方向の力ＤＦとなるので、揚力を打ち消す方向の反力となってしまい、揚力を発生する効果が小さくなるという問題が生じる。
【０００９】
本発明は、上記問題に鑑み、より効率的に揚力を発生することができるコアンダ効果を利用した飛翔体を提供することを目的とする。
【課題を解決するための手段】
【００１０】
上記の問題を解決するため、本発明による飛翔体は、
コアンダ効果を利用した飛翔体であって、
翼の外縁に前記外縁の下面側から上面側に指向する空気流を吹き付ける吹き付け手段を備えることを特徴とする。
【００１１】
ここで、前記翼は典型的には鞍型又はお椀型の二種類のものが用いられ、所謂鞍型の翼は、前記翼が前記進行方向及び前記左右方向に対して傾斜しない基本状態において、前記飛翔体の進行方向に垂直な断面における形状が左右方向の中央から外側に向けて上方から下方に上側が凸となるように湾曲しており、左右方向の中央から外側に向けてサイクロイド曲線を描く形状を有している。
【００１２】
この前記鞍型の翼は、この断面形状を前記進行方向に対して所定の長さだけ連続させた形状をなし、前記翼の下方に位置する荷室を上方から覆い、かつ、前記進行方向の前方及び後方にそれぞれ開口部を有する形態をなす。前記所定の長さは前記荷室の進行方向長さに応じて適宜決定される。
【００１３】
この前記鞍型の翼の上面の前記左右方向の中央には複数のファン又はコンプレッサー、あるいは、前記荷室内に設けられたファンと風導により構成される流体供給源が設けられており、この流体供給源が前記左右方向の中央から前記翼の前記左右方向の外縁に向けて空気流を流すことにより、この空気流の流線が前記翼の湾曲形状により上方から下方に向けて曲げられて、その反作用として前記翼は力を発生する。これにより、地面に対して滑走なしで発進し滑走なしで着陸する垂直離着陸を可能とし、空中で位置を保持したまま停止するホバリングを実現可能としている。
【００１４】
このような前記鞍型の翼において、前記外縁の下面側から上面側に指向する空気流を吹き付ける吹き付け手段を備えることにより、吹き付けられた空気流により前記翼の上面に沿って流れる空気流が前記外縁において下面側から上面側に指向する方向に押し込まれることとなるので、前記翼の上面に沿って流れる空気流が外縁において上面から下面に向けて回り込むことを防止することができる。これにより所謂翼端渦又は随伴渦の発生を防止して、前記力を打ち消す方向の反力が発生することを防止することができる。これにより、前記翼により、より効率的に力を発生させることができる。
【００１５】
なお、前記吹き付け手段としては、前記ファンとは別個の追加ファンと、追加風導を設けて、前記翼の上面又は前面いずれかの箇所から必要最低限の少量の空気流を前記追加風導の吸込口から吸込み、追加ファンの動力によって空気流の速度を増加さえて又はさせないで、追加風導の吹き付け口を外縁において下面側から上面側に指向するように設けることにより構成される。
【００１６】
前記荷室内においては前記荷室の空中における姿勢を制御するＥＣＵ（Electronic  Control  Unit）と、前進方向、左右方向、上下方向の加速度と、前進方向、左右方向、上下方向周りのモーメントを検出するレートセンサとが備えられ、前記翼には可動フラップが備えられており、ＥＣＵはレートセンサにより検出した加速度とモーメントに基づいて可動フラップを制御して、前記荷室を所望の姿勢に保持又は移行させる制御を行う。
【００１７】
比較的低い速度における低速前進時においては、コアンダ効果により発生した力の分力を前方に指向させて推進力を発生させて前進するために、前記翼及び前記荷室をともに前方に傾ける。
【００１８】
これとは逆に、比較的速度が高い高速前進時においては、前記翼及び前記荷室をともに後方に傾斜させると、前記飛翔体の前方から後方に流れる空気の流れが前記開口部を通過して前記翼の下面に当たって発生する力を利用する。
【００１９】
さらに、前記飛翔体において前進のためのより大きな推進力を得るために、別途推進ファンを含む推進装置を前記荷室に設けることができる。当該推進装置を設けるか否かは、要求される前記推進力の大きさに基づいて決定される。また、前記鞍型の翼においては前記翼の前記左右方向外側の外縁近傍において、前記翼の上面に沿って流れる空気流の流線を後方に変化させるフィンを設けることにより、前記空気流を後方に噴出させてこれにより前記推進力を得ることもできる。つまり、前記翼を前側に傾けることにより得られる推進力と、前記推進装置による推進力と、前記フィンにより得られる推進力とは、全体として要求される推進力に応じて適宜決定される。
【００２０】
前記飛翔体において右方旋回を行う場合には、前記翼及び前記荷室をともに右側に傾斜させることにより、コアンダ効果により発生した力の分力を右方に指向させて右方旋回力を発生させて右方に旋回する。
【００２１】
同様に、前記飛翔体において左方旋回を行う場合には、前記翼及び前記荷室をともに左に傾斜させることにより、コアンダ効果により発生した力の分力を左方に指向させて左方旋回力を発生させて左方に旋回する。
【００２２】
なお、前記二種類の翼のうち後者のお椀型の翼は、前記翼が前記進行方向及び前記左右方向に対して傾斜しない基本状態において、前記飛翔体の進行方向に垂直な断面における形状が左右方向の中央から外側に向けて上方から下方に上側が凸となるように湾曲しており、左右方向の中央から外側に向けてサイクロイド曲線を描く形状を有している。
【００２３】
前記お椀型の翼は、この断面形状を前記左右方向の中央を中心軸線として一回転するように延在させたお椀形状をなす。前述した鞍型の翼に比べて、上下方向から見て円形状をなしているため、前記翼の上面において中心からお椀型の外縁に向けて３６０度の範囲に均等に空気を流すことができ、垂直上昇時における揚力をより大きなものとすることが要請される場合に、有利な形態となる。
【００２４】
また、前記お椀型の翼においても、上面の中心において複数のファン又はコンプレッサー、あるいは、前記荷室内に設けられたファンと風導により構成される流体供給源が設けられており、この流体供給源が前記翼の上面の中心から前記翼の径方向外側の外縁に向けて空気流を流すことにより、この空気流の流線が前記翼の湾曲形状により上方から下方に向けて曲げられて、その反作用として前記翼は力を発生する。
【００２５】
このような前記お椀型の翼においても、前記外縁の下面側から上面側に指向する空気流を吹き付ける吹き付け手段を備えることにより、吹き付けられた空気流により前記翼の上面に沿って流れる空気流が前記外縁において下面側から上面側に指向する方向に押し込まれることとなるので、前記翼の上面に沿って流れる空気流が外縁において上面から下面に向けて回り込むことを防止することができる。これにより所謂翼端渦又は随伴渦の発生を防止して、前記力を打ち消す方向の反力が発生することを防止することができる。これにより、前記翼により、より効率的に力を発生させることができる。
【００２６】
なおここでも、前記吹き付け手段としては、前記ファンとは別個の追加ファンと、追加風導を設けて、前記翼の上面又は前面のいずれかの箇所から必要最低限の少量の空気流を前記追加風導の吸込口から吸込み、追加ファンの動力によって空気流の速度を増加さえて又はさせないで、追加風導の吹き付け口を外縁において下面側から上面側に指向するように設けることにより構成される。
【００２７】
なお、高速前進時における前記飛翔体の前方から後方に向かう空気流により前記翼の下面に揚力を発生させる要請がある場合には、前記鞍型の翼の形態の方が力を得る上でより有利な形態となるが、この場合においては、前記鞍型の翼の左右方向の外縁においては、前記追加風導の吸込口を前記進行方向前側に開口させ、前記追加風導の吹き付け口を左方向外側又は右方向外側に開口する形態として、前記追加風導すなわちダクトを、前記吸込口と前記吹き付け口とを連通するねじれ形状を有するものとすることにより、前記飛翔体の前進速度を最大限利用して、前記追加ファンを省略することができる。
【発明の効果】
【００２８】
本発明の飛翔体によれば、より効率的に揚力を発生することができるコアンダ効果を利用した飛翔体を提供することができる。
【発明を実施するための最良の形態】
【００２９】
以下、本発明を実施するための最良の形態について、添付図面を参照しながら説明する。
【実施例１】
【００３０】
図１は、本発明に係る飛翔体の一実施形態を示す模式図である。図１に示すように、飛翔体１は、進行方向Ｆｒが長辺方向となる直方体状をなす図示しない荷室（胴体）と、前後方向Ｆｒ中央Ｃから後方向の外縁２Ｅに向けてサイクロイド曲線を描いて伸びる鞍型又はお椀型の翼２と、ファンにより構成される流体供給源３と、ダクトすなわち追加風導４と、追加ファン５とを備えて構成される。翼２と荷室とは適宜の手段により連結されている。翼２には可動フラップが適宜設けられる。図示しないＥＣＵ（Electronic  Control  Unit）により適宜制御されて、荷室の姿勢が制御される。
【００３１】
このＥＣＵは荷室内において前進方向、左右方向、上下方向の加速度と、前進方向、左右方向、上下方向周りのモーメントを検出するレートセンサととともに配置され、ＥＣＵはレートセンサにより検出した加速度とモーメントに基づいて可動フラップを制御して、荷室を所望の姿勢に保持又は移行させる制御を行う。
【００３２】
鞍型又はお椀型の翼２は、翼２が図１に示す前後方向Ｆｒ及び左方向Ｌに対して傾斜しない基本状態において、飛翔体１の左方向Ｌに垂直な断面における断面形状が中央Ｃから後方向及び前方向Ｆｒに向けて上方ＵＰから下方に上側が凸となるように湾曲しており、中央Ｃから後方向及び前方向Ｆｒの外縁２Ｅに向けてサイクロイド曲線を描く断面形状を有している。
【００３３】
この翼２は鞍型であれば、翼２の下方に位置する荷室を上方から覆い、かつ、進行方向の前方及び後方にそれぞれ開口部を有する形態をなす。所定の長さは荷室の進行方向すなわち長辺方向長さに応じて適宜決定される。翼２がお椀型である場合には、この断面形状を、中央Ｃを中心軸線として一回転するように延在させたお椀形状をなす。鞍型の翼２に比べて、上下方向から見て円形状をなしているため、翼２の上面２ａにおいて中央Ｃからお椀型の外縁２Ｅに向けて３６０度の範囲に均等に空気を流すことができ、垂直上昇時における揚力をより大きなものとすることが要請される場合においてより有利な形態となる。
【００３４】
この鞍型の翼２の上面２ａの中央Ｃに位置する部分には、ファンにより構成される流体供給源３が設けられており、この流体供給源３は中央Ｃから外縁２Ｅに向けて翼２の上面２ａに沿って空気流を流す。この空気流の流線が翼２の湾曲形状により上方から下方に向けて曲げられて、その反作用として翼２は図１に示す下方から上方に向かうコアンダ効果による力を発生する。これによりまず滑走を行うことなく地面から飛び立ち、滑走を行うことなく着陸すること、すなわち垂直離着陸を可能とし、空中で飛翔体１の位置を一定に保つホバリングを可能としている。
【００３５】
本実施例１においては吹き付け手段としては、流体供給源３を構成するファンとは別個の追加ファン５と、追加風導４を設けて、翼２の上面２ａの中央Ｃより位置から必要最低限の少量の空気流を吸い込めるように追加風導４の吸込口４ａを翼２の上面２ａの中央Ｃから、例えば中央Ｃから外縁２Ｅまでの距離の１／３程度の位置に設定し、追加ファン５を追加風導４の中間位置に配置して、追加ファン５の動力によって空気流の速度を増加さえて又はさせないで、追加風導４の吹き付け口４ｂを外縁２Ｅにおいて下面２ｂ側から上面２ａ側に指向するように設けることにより構成される。
【００３６】
このように吹き付け手段を構成して、翼２において、外縁２Ｅの下面２ｂ側から上面２ａ側に指向する空気流を吹き付けることにより、吹き付けられた空気流により翼２の上面２ａに沿って流れる空気流が、外縁２Ｅにおいて下面２ｂ側から上面２ａ側に指向する方向に押し込まれることとなるので、翼２の上面２ａに沿って流れる空気流が外縁２Ｅにおいて上面２ａから下面２ｂに向けて回り込むことを防止することができる。これにより外縁２Ｅにおいて、所謂翼端渦又は随伴渦の発生を防止して、翼２が発生するコアンダ効果による力を打ち消す方向の反力が発生することを防止することができる。これにより、翼２により、より効率的に力を発生させることができる。
【００３７】
なお、本実施例１においては、比較的低い速度における低速前進時においては、ＥＣＵの制御に基づいて、翼２及び荷室をともに前方に傾けて、コアンダ効果により発生した力の分力を前方に指向させて推進力を発生させて前進する。比較的速度が高い高速前進時においては、ＥＣＵの制御に基づいて翼２及び荷室をともに後方に傾斜させて、飛翔体１の前方から後方に流れる空気の流れが翼２の下面２ｂに当たって発生する揚力を利用する。
【００３８】
また、飛翔体１において右方旋回を行う場合には、ＥＣＵの制御に基づいて翼２及び荷室をともに右側に傾斜させることにより、コアンダ効果により発生した力の分力を右方に指向させて右方旋回力を発生させて右方に旋回する。同様に、飛翔体１において左方旋回を行う場合には、翼２及び荷室をともに左に傾斜させることにより、コアンダ効果により発生した力の分力を左方に指向させて左方旋回力を発生させて左方に旋回する。
【００３９】
本実施例１においては流体供給源３として前進方向Ｆｒに軸方向を有するファンを用いたが、中央Ｃ方向つまり図１中縦方向に軸を有するファンを用いることもできる。この場合においては、翼２の上面２ａに沿って流れる空気流の態様が実施例１に示したものと異なるものとなる。以下それについての実施例２について述べる。
【実施例２】
【００４０】
図２は、本発明に係る飛翔体の一実施形態を示す模式図である。図２に示すように、飛翔体１１は、進行方向が長辺方向となる直方体状をなす図示しない荷室と、中央Ｃから外縁２Ｅに向けてサイクロイド曲線を描いて伸びる翼１２と、ファンである流体供給源１３と、ダクトすなわち追加風導１４と、追加ファン１５とを備えて構成される。翼１２と荷室とは適宜の手段により連結されている。翼１２には図示しない可動フラップが適宜設けられて、図示しないＥＣＵ（Electronic  Control  Unit）により適宜制御されて、荷室の姿勢が制御される。
【００４１】
この翼１２の上面１２ａの中央Ｃに位置する部分には、縦型のファンにより構成される流体供給源１３が設けられており、この流体供給源１３は中央Ｃの上方から空気を吸い込んで翼１２の中央Ｃ近傍に吹き付けた上で外縁１２Ｅに向けて翼１２の上面１２ａに沿って空気流を流す。この空気流の流線が翼１２の湾曲形状により上方から下方に向けて曲げられて、その反作用として翼１２は図２に示す下方から上方に向かうコアンダ効果による力を発生することは実施例１に示したものと同様である。
【００４２】
ただし、本実施例２において示すようにファンの軸を中央Ｃ方向に一致させて、空気を翼１２の中央近傍に吹き付けることとすると、上部からの気流動圧すなわち、翼１２の中央近傍にぶつかることによる抵抗が低くなり、上空の空気を取り込みやすくなるので、上空の負圧（低圧）が強くなり揚力（推力）が増加する。
【００４３】
このため、本実施例２においては吹き付け手段としては、流体供給源１３を構成するファンとは別個の追加ファン１５と、追加風導１４を設けて、翼１２の上面１２ａの中央Ｃより流体供給源１３を構成するファンの羽根の半径以内の位置に追加風導１４の吸込口１４ａを設定し、追加ファン１５を追加風導１４の中間位置に配置して、追加ファン１５の動力によって空気流の速度を増加さえて又はさせないで、追加風導１４の吹き付け口１４ｂを外縁１２Ｅにおいて下面１２ｂ側から上面１２ａ側に指向するように設けることにより構成される。
【００４４】
このように吹き付け手段を構成して、翼１２において、外縁１２Ｅの下面１２ｂ側から上面１２ａ側に指向する空気流を吹き付けることにより、本実施例２においても、吹き付けられた空気流により翼１２の上面１２ａに沿って流れる空気流が、外縁１２Ｅにおいて下面１２ｂ側から上面１２ａ側に指向する方向に押し込まれることとなるので、翼１２の上面１２ａに沿って流れる空気流が外縁１２Ｅにおいて上面１２ａから下面１２ｂに向けて回り込むことを防止することができる。
【００４５】
これにより外縁１２Ｅにおいて、所謂翼端渦又は随伴渦の発生を防止して、翼１２が発生するコアンダ効果による力を打ち消す方向の反力が発生することを防止することができる。これにより、翼１２により、より効率的に力を発生させることができる。また、実施例１に示したものに比較して追加風導１４による空気の取り込みをよりスムーズなものとすることができる。
【００４６】
本実施例２及び実施例１においては、翼の形態を特定しなかったが、翼がお椀型の形態である場合には、円周状の外縁において下面側から上面側にむら無く空気流を吹き付けることが好ましい。以下、それについての実施例３について述べる。
【実施例３】
【００４７】
図３は、本発明に係る飛翔体の一実施形態を示す模式図である。図３に示すように、飛翔体２１は、進行方向が長辺方向となる直方体状をなす図示しない荷室と、中央Ｃから外縁２２Ｅに向けてサイクロイド曲線を描いて伸びるお椀状の翼２２と、ファンである流体供給源２３と、ダクトすなわち追加風導２４と、追加ファン２５と、フィン２６を備えて構成される。翼２２と荷室とは適宜の手段により連結されている。翼２２には図示しない可動フラップが適宜設けられて、図示しないＥＣＵ（Electronic  Control  Unit）により適宜制御されて、荷室の姿勢が制御される。
【００４８】
この翼２２の上面２２ａの中央Ｃに位置する部分には、複数のファンにより構成される流体供給源２３が設けられており、この流体供給源２３は中央Ｃの上方から空気を吸い込んで翼２２の中央Ｃ近傍から翼２２の上面２２ａに沿って空気流を流す。この空気流の流線が翼２２の湾曲形状により上方から下方に向けて曲げられて、その反作用として翼２２は図３に示す下方から上方に向かうコアンダ効果による力を発生することは実施例１及び２に示したものと同様である。
【００４９】
本実施例３においては吹き付け手段としては、流体供給源２３を構成するファンとは別個の追加ファン２５と、追加風導２４を設けて、翼２２の前面に追加風導２４の吸込口２４ａを設定し、追加ファン２５を追加風導２４の吸込口２４ａに近接した位置に配置して、追加ファン２５の動力によって空気流の速度を増加さえて又はさせないで、追加風導２４の吹き付け口２４ｂを翼２２の後端に、吹き付け口２４ｃを翼２２の左端に、吹き付け口２４ｄを翼２２の右端に設けることにより構成される。これに伴い、追加風導２４は図３下図に示すように四分岐形態のものとなる。さらに、翼２２の前側部分においては左右一対のフィン２６が設けられて、流体供給源２３から供給される空気流が追加風導２４の吸込口２４ａに供給されないようにしている。
【００５０】
このように吹き付け手段を構成することにより、飛翔体２１が前進している状況において、翼２２の外縁２２Ｅの後端、左端、右端において、外縁２２Ｅの下面２２ｂ側から上面２２ａ側に指向する空気流を、それぞれ吹き付け口２４ｂ、２４ｃ、２４ｃを介して吹き付けることにより、むら無く吹き付けられた空気流により翼２２の上面２２ａに沿って流れる空気流が、外縁２２Ｅにおいて下面２２ｂ側から上面２２ａ側に指向する方向に押し込まれることとなるので、翼２２の上面２２ａに沿って流れる空気流が外縁２２Ｅにおいて上面２２ａから下面２２ｂに向けて回り込むことをよりむら無く確実に防止することができる。
【００５１】
これにより外縁２２Ｅにおいて、所謂翼端渦又は随伴渦の発生を防止して、翼２２が発生するコアンダ効果による力を打ち消す方向の反力が発生することを防止することができる。これにより、翼２２により、より効率的に力を発生させることができる。さらに、翼２２の前側部分においては左右一対のフィン２６が設けられて、流体供給源２３から供給される空気流が追加風導２４の吸込口２４ａに供給されないようにしているので、翼２２の外縁２２Ｅの前端において空気流が上面２２ａから下面２２ｂに流れ込むことを防止して、これにより上方から下方に向かう反力が発生して、力をキャンセルしてしまうことを防止することができる。
【００５２】
さらに、フィン２６は飛翔体２１の前進に伴い前方から後方に向かって流れる空気流が、流体供給源２３から供給されて翼２２の上面２２ａを沿って流れるコアンダ効果による力を発生するための空気流を阻害することを防止することができるので、翼２２による揚力をより確実に発生させることができる。さらに、吹き付け口２４ｂから噴出される空気流により、推進力を得ることもできるので、追加ファン２５を推進装置として利用することもできる。
【００５３】
本実施例３においては翼の形状をお椀型として、それに対応させて追加風導の形態を最適化する構成としたが、翼の形状を鞍型とした場合においても、それに対応させて追加風導の形態を最適化することができる。以下それについての実施例４について述べる。
【実施例４】
【００５４】
図４は、本発明に係る飛翔体の一実施形態を示す模式図である。図４に示すように、飛翔体３１は、進行方向が長辺方向となる直方体状をなす図示しない荷室と、中央Ｃから外縁３２Ｅに向けてサイクロイド曲線を描いて伸びる鞍型の翼３２と、ファンである流体供給源３３と、左右一対のダクトすなわち追加風導３４と、推進装置３５を備えて構成される。翼３２と荷室とは適宜の手段により連結されている。翼３２には図示しない可動フラップが適宜設けられて、図示しないＥＣＵ（Electronic  Control  Unit）により適宜制御されて、荷室の姿勢が制御される。
【００５５】
この鞍型の翼３２の上面３２ａの中央Ｃに位置する部分には、複数のファンにより構成される流体供給源３３が設けられており、この流体供給源３３は中央Ｃの上方又は前方から空気を吸い込んで噴き出し孔から噴出することにより、翼３２の中央Ｃ近傍から翼３２の上面３２ａに沿って空気流を流す。この空気流の流線が翼３２の湾曲形状により上方から下方に向けて曲げられて、その反作用として翼３２は図４に示す下方から上方に向かうコアンダ効果による力を発生することは実施例１〜３に示したものと同様である。
【００５６】
本実施例４においては吹き付け手段としては、鞍型の翼３２の左右方向の外縁３２Ｅに左右一対に設けられる追加風導３４を設けて、追加風導３４の吸込口３４ａを進行方向前側に開口させ、追加風導３４の吹き付け口３４ｂを左方向外側又は右方向外側に開口する形態として、追加風導３４すなわちダクトを、吸込口３４ａと吹き付け口３４ｂとを連通するホーン形状を変形させたねじれ形状を有するものとしている。
【００５７】
これによれば、追加風導３４すなわちダクトを、吸込口３４ａと吹き付け口３４ｂとを連通するねじれ形状を有するものとすることにより、飛翔体３１の前進速度を最大限利用して、外縁３４Ｅにおいてコアンダ効果を発生するための空気流の、上面３２ａ側から下面３２側への回り込みを防止することができ、追加ファンを省略することができる。
【００５８】
本実施例４においては翼の形状を鞍型として、それに対応させて追加風導の形態を最適化する構成としたが、推進装置３５を省略して荷室及び翼３２をＥＣＵの制御に基づいて前側に傾けて推進力を得る構成とすることもできる。以下それについての実施例５について述べる。
【実施例５】
【００５９】
図５は、本発明に係る飛翔体の一実施形態を示す模式図である。図５に示すように、飛翔体４１は、進行方向が長辺方向となる直方体状をなす図示しない荷室と、中央Ｃから外縁４２Ｅに向けてサイクロイド曲線を描いて伸びる鞍型の翼４２と、ファンである流体供給源４３と、左右一対のダクトすなわち追加風導４４を備えて構成される。翼４２と荷室とは適宜の手段により連結されている。翼４２には図示しない可動フラップが適宜設けられて、図示しないＥＣＵ（Electronic  Control  Unit）により適宜制御されて、荷室の姿勢が制御される。
【００６０】
この鞍型の翼４２の上面４２ａの中央Ｃに位置する部分には、複数のファンにより構成される流体供給源４３が設けられており、この流体供給源４３は中央Ｃの上方又は前方から空気を吸い込んで噴き出し孔から噴出することにより、翼４２の中央Ｃ近傍から翼４２の上面４２ａに沿って空気流を流す。この空気流の流線が翼４２の湾曲形状により上方から下方に向けて曲げられて、その反作用として翼４２は図５に示す下方から上方に向かうコアンダ効果による力を発生することは実施例１〜４に示したものと同様である。
【００６１】
本実施例５においては吹き付け手段としては、鞍型の翼４２の左右方向の外縁４２Ｅに左右一対に設けられる追加風導４４を設けて、追加風導４４の吸込口４４ａを進行方向前側に開口させ、追加風導４４の吹き付け口４４ｂを左方向外側又は右方向外側に開口する形態として、追加風導４４すなわちダクトを、吸込口４４ａと吹き付け口４４ｂとを連通するホーン形状を変形させたねじれ形状を有するものとしている。
【００６２】
これによっても、追加風導４４すなわちダクトを、吸込口４４ａと吹き付け口４４ｂとを連通するねじれ形状を有するものとすることにより、飛翔体４１の前進速度を最大限利用して、外縁４２Ｅにおいてコアンダ効果を発生するための空気流の、上面４２ａ側から下面４２ｂ側への回り込みを防止することができ、追加ファンを省略することができる。
さらに、推進装置３５を省略することができる。
【００６３】
以上本発明の好ましい実施例について詳細に説明したが、本発明は上述した実施例に制限されることなく、本発明の範囲を逸脱することなく、上述した実施例に種々の変形および置換を加えることができる。
【００６４】
上述したような飛翔体１〜４１は、鉄道や幹線道路が発達していない僻地、又は、山岳に四方を囲まれて鉄道や幹線道路頭のインフラを整備することが困難な地域に対する食料や物資の輸送、航空機やヘリコプターが離着陸する設備を整備することが困難な場所へ同じく食料や物資の輸送を行う場合に、より有利な運搬手段として利用することができる。
【００６５】
さらに、山岳遭難や、海上遭難において、遭難者を救助するに当たって、飛翔体１〜４１によれば飛翔体１〜４１の下方の地形の形態の特異性、例えば崖等であることにかかわらずに、上空でホバリングを行うことができるので、救助をより円滑に実施することができる。さらに、ヘリコプターに比べて、強風等の外乱条件に対しても、ロータという回転部分を有していないことに起因して、荷室の姿勢を安定させることが容易であるため、これによっても、救助をより円滑かつ確実に行うことができる。
【産業上の利用可能性】
【００６６】
本発明は、被災者救助、貨物運搬等に適用して好適な飛翔体に関するものであり、より効率的な揚力を発生させることができる、コアンダ効果を利用した飛翔体を提供することができるので、消防用貨物運搬用の飛翔体に適用して有益なものである。
【図面の簡単な説明】
【００６７】
【図１】本発明に係る飛翔体の一実施形態を示す模式図である。
【図２】本発明に係る飛翔体の一実施形態を示す模式図である。
【図３】本発明に係る飛翔体の一実施形態を示す模式図である。
【図４】本発明に係る飛翔体の一実施形態を示す模式図である。
【図５】本発明に係る飛翔体の一実施形態を示す模式図である。
【図６】従来の飛翔体の一実施形態を示す模式図である。
【符号の説明】
【００６８】
１      飛翔体
２      翼（鞍型、お椀型）
２ａ    上面
２ｂ    下面
２Ｅ    外縁
３      流体供給源（ファン）
４      追加風導（ダクト）
４ａ    吸込口
４ｂ    吹き付け口
５      追加ファン
１１      飛翔体
１２      翼（鞍型、お椀型）
１２ａ    上面
１２ｂ    下面
１２Ｅ    外縁
１３      流体供給源（ファン：縦型）
１４      追加風導（ダクト）
１４ａ    吸込口
１４ｂ    吹き付け口
１５      追加ファン
２１      飛翔体
２２      翼（お椀型）
２２ａ    上面
２２ｂ    下面
２２Ｅ    外縁
２３      流体供給源（ファン）
２４      追加風導（ダクト）
２４ａ    吸込口
２４ｂ    吹き付け口
２４ｃ    吹き付け口
２４ｄ    吹き付け口
２５      追加ファン
２６      フィン
３１      飛翔体
３２      翼（鞍型）
３２ａ    上面
３２ｂ    下面
３２Ｅ    外縁
３３      流体供給源（ファン）
３４      追加風導（ダクト）
３４ａ    吸込口
３４ｂ    吹き付け口
３５      推進装置
４１      飛翔体
４２      翼（鞍型）
４２ａ    上面
４２ｂ    下面
４２Ｅ    外縁
４３      流体供給源（ファン）
４４      追加風導（ダクト）
４４ａ    吸込口
４４ｂ    吹き付け口
【図１】
2010120420.tif 000003
【図２】
2010120420.tif 000004
【図３】
2010120420.tif 000005
【図４】
2010120420.tif 000006
【図５】
2010120420.tif 000007
【図６】
2010120420.tif 000008